(57)【要約】【課題】  スイッチ用接点バネに絞り加工を施してドーム形状にする際に絞り加工を均等に施すことを可能にし、それによって、歪みの発生、繰り返し使用時における亀裂の発生等を防止して、長期にわたって安定した機能を発揮することができるスイッチ用接点バネを提供することにある。【解決手段】  板材にプレス加工を施して複数個のスイッチ用接点バネをブリッジ部を介して連接した状態で得ると共に、上記ブリッジ部を介して切断することにより得るスイッチ用接点バネにおいて、上記ブリッジ部を上記スイッチ用接点バネの一方向側にのみ設けるようにしたもの。【選択図】  図１
2005228599.tif 000002
【特許請求の範囲】
【請求項１】
板材にプレス加工を施して複数個のスイッチ用接点バネをブリッジ部を介して連接した状態で得ると共に、上記ブリッジ部を介して切断することにより得るスイッチ用接点バネにおいて、
上記ブリッジ部を上記スイッチ用接点バネの一方向側にのみ設けるようにしたことを特徴とするスイッチ用接点バネ。
【請求項２】
請求項１記載のスイッチ用接点バネにおいて、
上記ブリッジ部は上記スイッチ用接点バネの一方向側に１個設けられていることを特徴とするスイッチ用接点バネ。
【請求項３】
請求項１記載のスイッチ用接点バネにおいて、
上記ブリッジ部は上記スイッチ用接点バネの一方向側に２個以上設けられていることを特徴とするスイッチ用接点バネ。
【請求項４】
請求項１〜請求項３の何れかに記載のスイッチ用接点バネにおいて、
上記スイッチ用接点バネは四角形をなしていて、上記ブリッジ部はその角部に設けられていることを特徴とするスイッチ用接点バネ。
【請求項５】
請求項４記載のスイッチ用接点バネにおいて、
上記ブリッジ部は１個であって、角部にあって対角線に沿った方向に延長されていることを特徴とするスイッチ用接点バネ。
【請求項６】
請求項４記載のスイッチ用接点バネにおいて、
上記ブリッジ部は２個であって、夫々角部において平行に延長されていることを特徴とするスイッチ用接点バネ。
【請求項７】
板材にプレス加工を施して複数個のスイッチ用接点バネを該スイッチ用接点バネの一方向側のみに設けられたブリッジ部を介して連接した状態で得るプレス工程と、
上記プレス工程により得られた板材の複数個のスイッチ用接点バネに対してドーム部を形成する絞り工程と、
上記ブリッジ部を介して切断して個々のスイッチ用接点バネを独立させて得る切断工程と、
を具備したことを特徴とするスイッチ用接点バネ製造法。
【発明の詳細な説明】
【技術分野】
【０００１】
本願発明は、例えば、オーディオ機器、ビデオ機器、通信機器、測定機器等の各種電気機器や電子機器において使用されるスイッチの部品であるスイッチ用接点バネと該スイッチ用接点バネを製造するスイッチ用接点バネ製造方法に係り、特に、ブリッジ部を介して切断することにより個々のスイッチ用接点バネを得るものにおいて、該ブリッジ部をスイッチ用接点バネの一方向側にのみ設けることにより、スイッチ用接点バネに絞り加工を施す際の抵抗を軽減させて均等な絞り加工ができるように工夫したものに関する。
【背景技術】
【０００２】
例えば、オーディオ機器、ビデオ機器、通信機器、測定機器等の各種電気機器や電子機器において使用されるスイッチとしては、特許文献１に開示されているようなものがある。
尚、上記特許文献１は、本件特許出願人によるものである。
【０００３】
【特許文献１】特開２００１−２１６８６５号公報
【０００４】
又、上記特許文献１に開示されているスイッチとは別に図５に示すようなスイッチ２０１がある。図５（ａ）はスイッチ２０１の構成を示す平面図であり、図５（ｂ）はスイッチ２０１の断面図である。
まず、スイッチ用接点バネ２０３があると共にプリント基板２０５があって、このプリント基板２０５には中央接点部２０７と、外周接点部２０９が設けられている。
【０００５】
上記スイッチ用接点バネ２０３は上記プリント基板２０５上に設置されていて、その上にはＰＥＴ粘着テープ２１１が貼り付けられている。上記スイッチ用接点バネ２０３は、図５（ａ）に示すように、円形をなしているものであり、且つ、図５（ｂ）に示すように、ドーム形状をなしていて、ドーム部２１３とスカート部２１５とから構成されている。
【０００６】
上記スイッチ用接点バネ２０３の構成を図６を参照して詳細に説明する。図６はスイッチ用接点バネ２０３の全体の構成を示す平面図である。スイッチ用接点バネ２０３は、既に説明したように、円形をなしていると共にドーム状をなしている。又、スイッチ用接点バネ２０３の中央部には凸部２１７が設けられている。
【０００７】
又、上記スイッチ用接点バネ２０３は、次のような工程を経て製造されることになる。まず、板材にプレス加工を施す。その結果、複数個のスイッチ用接点バネ２０３がブリッジ部２４１、２４１を介して板材に一体に打抜・形成された状態になる。次に、スイッチ用接点バネ２０３をドーム形状にするべく絞り加工が施される。次に、ブリッジ部２４１、２４１を切断線２４３、２４３を介して切断することにより、個々のスイッチ用接点バネ２０３を独立させて得ることになる。
【発明の開示】
【発明が解決しようとする課題】
【０００８】
上記従来の構成によると次のような問題があった。
まず、従来の構成の場合には、個々のスイッチ用接点バネ２０３がその両側においてブリッジ部２４１、２４１を介して連接された構成になっており、その状態で、スイッチ用接点バネ２０３に絞り加工を施すことになる。その際、両側のブリッジ部２４１、２４１が抵抗として作用してしまい、均等な絞り加工が出来なくなってしまうことがあった。
特に、スイッチ用接点バネ２０３の径が小径の場合には、ブリッジ部２４１、２４１との連結部２４７、２４７(切断線２４３、２４３を介して切断された個所)に歪みが発生してしまうことになる。そのような状態のスイッチ用接点バネ２０３を装置に組み込んで繰り返し動作させた場合には、その部分に応力集中が起こり亀裂２４９が発生してしまうこともあった。
尚、図５、図６では略円形ドーム形状をなすスイッチ用接点バネ２０３を例に挙げて説明しているが、その他の形状、例えば、略四角形ドーム形状をなすスイッチ用接点バネ、楕円径ドーム形状をなすスイッチ用接点バネ、その他の形状をなすスイッチ用接点バネについても同様である。  
【０００９】
本発明はこのような点に基づいてなされたものでその目的とするところは、スイッチ用接点バネに絞り加工を施してドーム形状にする際に絞り加工を均等に施すことを可能にし、それによって、歪みの発生、繰り返し使用時における亀裂の発生等を防止して、長期にわたって安定した機能を発揮することができるスイッチ用接点バネとそのようなスイッチ用接点バネを製造するスイッチ用接点バネ製造方法を提供することにある。
【課題を解決するための手段】
【００１０】
上記目的を達成するべく本願発明の請求項１によるスイッチ用接点バネは、板材にプレス加工を施して複数個のスイッチ用接点バネをブリッジ部を介して連接した状態で得ると共に、上記ブリッジ部を介して切断することにより得るスイッチ用接点バネにおいて、上記ブリッジ部を上記スイッチ用接点バネの一方向側にのみ設けるようにしたことを特徴とするものである。
又、請求項２によるスイッチ用接点バネは、請求項１記載のスイッチ用接点バネにおいて、上記ブリッジ部は上記スイッチ用接点バネの一方向側に１個設けられていることを特徴とするものである。
又、請求項３によるスイッチ用接点バネは、請求項１記載のスイッチ用接点バネにおいて、上記ブリッジ部は上記スイッチ用接点バネの一方向側に２個以上設けられていることを特徴とするものである。
又、請求項４によるスイッチ用接点バネは、請求項１〜請求項３の何れかに記載のスイッチ用接点バネにおいて、上記スイッチ用接点バネは四角形をなしていて、上記ブリッジ部はその角部に設けられていることを特徴とするものである。
又、請求項５によるスイッチ用接点バネは、請求項４記載のスイッチ用接点バネにおいて、上記ブリッジ部は１個であって、角部にあって対角線に沿った方向に延長されていることを特徴とするものである。
又、請求項６によるスイッチ用接点バネは、請求項４記載のスイッチ用接点バネにおいて、上記ブリッジ部は２個であって、夫々角部において平行に延長されていることを特徴とするものである。
又、請求項７によるスイッチ用接点バネは、板材にプレス加工を施して複数個のスイッチ用接点バネを該スイッチ用接点バネの一方向側のみに設けられたブリッジ部を介して連接した状態で得るプレス工程と、上記プレス工程により得られた板材の複数個のスイッチ用接点バネに対してドーム部を形成する絞り工程と、上記ブリッジ部を介して切断して個々のスイッチ用接点バネを独立させて得る切断工程と、を具備したことを特徴とするものである。
【発明の効果】
【００１１】
以上詳述したように本発明の請求項１によるスイッチ用接点バネによると、板材にプレス加工を施して複数個のスイッチ用接点バネをブリッジ部を介して連接した状態で得ると共に、上記ブリッジ部を介して切断することにより得るスイッチ用接点バネにおいて、上記ブリッジ部を上記スイッチ用接点バネの一方向側にのみ設けるようにしたので、絞り加工を施す際の抵抗が大幅に軽減され、その結果、均等な絞り加工が可能になった。
又、均等な絞り加工が可能になったことにより、切断個所における亀裂の発生を未然に防止することができ、長期にわたって安定した機能を提供することが可能になった。
又、上記ブリッジ部を上記スイッチ用接点バネの一方向側に１個設けた場合には、切断個所が１箇所のみとなり、それによって、亀裂が発生する可能性がある個所を最小限とすることができる。
又、上記ブリッジ部を上記スイッチ用接点バネの一方向側に２個以上設けた場合には、それだけ切断個所が増加することにはなるが、絞り加工時の安定性は向上するものである。
又、上記スイッチ用接点バネを四角形とし、上記ブリッジ部を角部に設けた場合には次のような効果がある。スイッチ用接点バネは、使用時にはドーム部に繰り返しの負荷が作用する。それによって、切断個所に亀裂が発生することが懸念される。その際、ブリッジ部を角部に設ければ切断個所も角部に位置することになり、角部は上記繰り返しの負荷の影響が比較的少ない個所であり、よって、負荷に起因した亀裂の発生を効果的に防止することができるものである。
又、本発明の請求項７によるスイッチ用接点バネ製造方法によると、ブリッジ部を上記スイッチ用接点バネの一方向側にのみ設けるようにしたので、絞り加工を施す際の抵抗が大幅に軽減され、その結果、均等な絞り加工が可能になった。
【発明を実施するための最良の形態】
【００１２】
以下、図１及び図２を参照して本発明の第１の実施の形態を説明する。図１は本実施の形態によるスイッチ用接点バネ１を得るための加工途中の板材３を示す平面図である。すなわち、板材３に対して所定のプレス加工を施すことにより、図１に示すような状態の板材３とするものであり、そこには、複数個のスイッチ用接点バネ１が１個のブリッジ部５を介して連接・保持された状態になっている。
【００１３】
上記ブリッジ部５は、スイッチ用接点バネ１の一方向側（図１の場合には左側）であって上側の角部に設けられている。各スイッチ用接点バネ１はこの１個のブリッジ部５のみを介して、上記板材３に連接・保持されている。
【００１４】
次に、図１に示す状態において、各スイッチ用接点バネ１に対して絞り加工を施してドーム形状に加工する。その際、各スイッチ用接点バネ１は、一方向側にのみ設けられた１個のブリッジ部５を介して板材３に連接・保持されているので、絞り加工時の抵抗は小さく、均等な絞り加工が可能になる。そして、このような絞り加工によって、図２に示すような四角形ドーム形状のスイッチ用接点バネ１を得ることができる。後は、ブリッジ部５を切断線７を介して切断することにより、個々のスイッチ用接点バネ１を独立させるものである。
【００１５】
上記スイッチ用接点バネ１は、図２に示すように、四角形ドーム形状をなしていて、ドーム部９と、その外周に設けられたスカート部１１とから構成されている。
【００１６】
以上本実施の形態によると次のような効果を奏することができる。
まず、個々のスイッチ用接点バネ１がその一方向側において１個のブリッジ部５のみを介して板材３に連接された構成になっているので、絞り加工を施す際の抵抗が大幅に軽減され、その結果、均等な絞り加工が可能になった。
又、均等な絞り加工ができなかった状態のスイッチ用接点バネ２０３（図５に示した従来例）を装置に組み込んで繰り返し動作させた場合には、切断個所（切断線７を介して切断した個所）に応力集中が起こり、それによって、亀裂が発生してしまうことが懸念されるが、本実施の形態の場合には、均等な絞り加工が可能になったので、そのような亀裂の発生を未然に防止することができ、長期にわたって安定した機能を発揮することができるようになった。
又、ブリッジ部５、換言すれば、切断個所が１箇所であるので、亀裂発生の可能性がある個所を最小限とすることができ（上記の理由により亀裂の発生は効果的に防止されるが）、それによって、長期にわたって安定した機能を発揮することができる。
又、ブリッジ部５、すなわち、切断個所が角部に配置されているので、それによっても、亀裂の発生を効果的に防止することができる。すなわち、スイッチ用接点バネは、使用時にはドーム部に繰り返しの負荷が作用する。それによって、切断個所に亀裂が発生することが懸念される。その際、ブリッジ部５を角部に設ければ切断個所も角部に位置することになり、角部は上記繰り返しの負荷の影響が比較的少ない個所であり、よって、負荷に起因した亀裂の発生を効果的に防止することができるものである。
【００１７】
次に、図３及び図４を参照して本発明の第２の実施の形態を説明する。前記第１の実施の形態の場合には、ブリッジ部５を１個とした場合を例に挙げて説明したが、この第２の実施の形態の場合にはこれを２個としたものである。すなわち、図３に示すように、板材３において、各スイッチ用接点バネ１は、その一方向側の２箇所において、ブリッジ部１０５、１０５を介して、板材３に連接・保持されている。
【００１８】
そして、図３に示す状態において、各スイッチ用接点バネ１に対して、絞り加工を施すことにより、図４に示すような四角形ドーム形状のスイッチ用接点バネ１を得るものである。後は、切断線１０７、１０７を介してブリッジ部１０５、１０５を切断することにより、個々のスイッチ用接点バネ１を独立させるものである。
【００１９】
そして、この第２の実施の形態の場合にも、個々のスイッチ用接点バネ１がその一方向側においてのみ２個のブリッジ部５、５のみを介して板材３に連接・保持された構成になっているので、絞り加工を施す際の抵抗が大幅に軽減され、その結果、均等な絞り加工が可能になった。
又、均等な絞り加工が可能になったことにより、切断線１０７、１０７を介して切断した切断個所における亀裂の発生を未然に防止することができる、等、前記第１の実施の形態の場合と同様の効果を奏することができるものである。
【００２０】
尚、本発明は前記第１、第２の実施の形態に限定されるものではない。
前記第１、第２の実施の形態の場合には、四角形ドーム形状のスイッチ用接点バネを例に挙げて説明したが、それ以外にも、例えば、円形ドーム形状、楕円形ドーム形状、等様々な形状のスイッチ用接点バネに適用可能である。
又、ブリッジ部の個数、位置等についてはこれを特に限定するものではなく、一方向側にのみ設けられていれば良い。
【産業上の利用可能性】
【００２１】
本願発明は、ブリッジ部を介して切断することにより個々のスイッチ用接点バネを得るものにおいて、該ブリッジ部をスイッチ用接点バネの一方向側にのみ設けることにより、スイッチ用接点バネに絞り加工を施す際の抵抗を軽減させて均等な絞り加工ができるように工夫したものであり、例えば、オーディオ機器、ビデオ機器、通信機器、測定機器等の各種電気機器や電子機器において使用されるスイッチの部品であるスイッチ用接点バネ及びその製造方法に好適である。
【図面の簡単な説明】
【００２２】
【図１】本発明の第１の実施の形態を示す図で、板材にプレス加工を施した後の状態を示す一部平面図である。
【図２】本発明の第１の実施の形態を示す図で、図２(ａ)は絞り加工後であって切断前のスイッチ用接点バネの状態を示す平面図、図２(ｂ)は図２（ａ）のｂ−ｂ矢視図である。
【図３】本発明の第２の実施の形態を示す図で、板材にプレス加工を施した後の状態を示す一部平面図である。
【図４】本発明の第２の実施の形態を示す図で、図４(ａ)は絞り加工後であって切断前のスイッチ用接点バネの状態を示す平面図、図４(ｂ)は図４（ａ）のｂ−ｂ矢視図である。
【図５】従来例を示す図で、図５（ａ）はスイッチの構成を示す平面図、図５（ｂ）はスイッチの構成を示す断面図である。
【図６】従来例を示す図で、ブリッジ部付きのスイッチ用接点バネの構成を示す平面図である。
【符号の説明】
【００２３】
１  スイッチ用接点バネ
３  板材
５  ブリッジ部
７  切断線
９  ドーム部
１１  スカート部
１０５  ブリッジ部
１０７  切断線  
【図１】
2005228599.tif 000003
【図２】
2005228599.tif 000004
【図３】
2005228599.tif 000005
【図４】
2005228599.tif 000006
【図５】
2005228599.tif 000007
【図６】
2005228599.tif 000008